(57)【要約】【課題】  ユーザに対しプリンタの記録条件・プリンタの基本動作・補助動作の設定を簡単確実に行え、設定された記録条件やプリンタの動作状況の告知や、ガイダンスの実行を確実に行え、操作者が初心者でも容易にかつ直ぐにプリンタの記録条件・基本動作・補助動作の設定を行え、誤設定によるエラーの発生頻度を低減させ、更にエラーの対応等の操作が容易にできる操作性に優れたプリンタを提供する。【解決手段】  プリンタの動作を制御する制御手段に対し制御内容の設定、変更を可能とする設定変更手段を備える。また、設定変更手段によって設定される制御内容を所定の音声入力部によって設定・変更でき、音声出力部によって音声出力させるための音声情報を発する音声情報発生手段を備える。【選択図】        図６
2006095984.tif 000002
【特許請求の範囲】
【請求項１】
プリンタの記録条件の設定、プリンタの基本動作の設定、プリンタの補助動作の設定の少なくともいずれか一つを音声により入力する音声入力手段と、
プリンタの設定された記録条件、記録条件を設定する為のガイダンス、プリンタの動作状況のガイダンスの少なくともいずれか一つを音声により出力する音声出力手段と、
を備えたことを特徴とするプリンタ制御装置。
【請求項２】
プリンタの記録条件の設定、プリンタの基本動作の設定、プリンタの補助動作の設定の少なくともいずれか一つを音声により入力する音声入力手段と、
プリンタの設定された記録条件、記録条件を設定する為のガイダンス、プリンタの動作状況のガイダンスの少なくともいずれか一つを音声により出力する音声出力手段と、
プリンタの設定された記録条件、記録条件を設定する為のガイダンス、プリンタの動作状況のガイダンスの少なくともいずれか一つを表示する画面表示手段と、
を備えたことを特徴とするプリンタ制御装置。
【請求項３】
プリンタの記録条件の設定、プリンタの基本動作の設定、プリンタの補助動作の設定の少なくとも一つを音声により入力する音声入力工程と、
プリンタの設定された記録条件、記録条件を設定する為のガイダンス、プリンタの動作状況のガイダンスの少なくともいずれか一つを音声により出力する音声出力工程と、
を備えたことを特徴とするプリンタ制御方法。
【請求項４】
プリンタの記録条件の設定、プリンタの基本動作の設定、プリンタの補助動作の設定の少なくとも一つを音声により入力する音声入力工程と、
プリンタの設定された記録条件、記録条件を設定する為のガイダンス、プリンタの動作状況のガイダンスの少なくともいずれか一つを音声により出力する音声出力工程と、
プリンタの設定された記録条件、記録条件を設定する為のガイダンス、プリンタの動作状況のガイダンスの少なくともいずれか一つを表示する画面表示工程と、
を備えたことを特徴とするプリンタ制御方法。
【請求項５】
前記プリンタの記録条件は、用紙のサイズ、用紙の種類、記録品位、部数、給紙方法、印字の向き、カラーまたはモノクロ印字の選択、色調節、階調処理、ユーティリティーであることを特徴とする請求項１又は２に記載のプリンタ制御装置。
【請求項６】
前記プリンタの記録条件は、用紙のサイズ、用紙の種類、記録品位、部数、給紙方法、印字の向き、カラーまたはモノクロ印字の選択、色調節、階調処理、ユーティリティーであることを特徴とする請求項３又は４に記載のプリンタ制御方法。
【請求項７】
前記プリンタの基本動作は、電源ＯＮ状態、プリント動作、であることを特徴とする請求項１又は２に記載のプリンタ制御装置。
【請求項８】
前記プリンタの基本動作は、電源ＯＮ状態、プリント動作、であることを特徴とする請求項３又は４に記載のプリンタ制御方法。
【請求項９】
前記プリンタの補助動作は、クリーニング、ヘッド位置調整、テストプリント、カートリッジ・インクタンクの交換であることを特徴とする請求項１又は２に記載のプリンタ制御装置。
【請求項１０】
前記プリンタの補助動作は、クリーニング、ヘッド位置調整、テストプリント、カートリッジ・インクタンクの交換であることを特徴とする請求項３又は４に記載のプリンタ制御方法。
【請求項１１】
前記プリンタと前記音声入力手段、前記音声出力手段の処理部を有するホストコンピューターが所定のインターフェースを介して通信可能なことを特徴とする請求項１に記載のプリンタ制御装置。
【請求項１２】
前記プリンタと前記音声入力手段、前記音声出力手段、前記画面表示手段の処理部を有するホストコンピューターが所定のインターフェースを介して通信可能なことを特徴とする請求項２に記載のプリンタ制御装置。
【請求項１３】
前記プリンタと音声入力手段、音声出力手段の処理部を有するホストコンピューターが所定のネットワークを介して通信可能なことを特徴とする請求項１に記載のプリンタ制御装置。
【請求項１４】
前記プリンタと音声入力手段、音声出力手段、画面表示手段の処理部を有するホストコンピューターが所定のネットワークを介して通信可能なことを特徴とする請求項２に記載のプリンタ制御装置。
【請求項１５】
前記記録条件を設定する為のガイダンスを行った後、プリンタの記録条件の設定がないまま一定時間経過すると規定の標準設定を行うことを特徴とする請求項１又は２に記載のプリンタ制御装置。
【請求項１６】
前記記録条件を設定する為のガイダンスを行った後、プリンタの記録条件の設定がないまま一定時間経過すると規定の標準設定を行うことを特徴とする請求項３又は４に記載のプリンタ制御方法。
【請求項１７】
前記プリンタの動作状況のガイダンスを行った後、プリンタの基本動作の設定およびプリンタの補助動作の設定がないまま一定時間経過すると実行中の動作を継続することを特徴とする請求項１又は２に記載のプリンタ制御装置。
【請求項１８】
前記プリンタの動作状況のガイダンスを行った後、プリンタの基本動作の設定およびプリンタの補助動作の設定がないまま一定時間経過すると実行中の動作を継続することを特徴とする請求項３又は４に記載のプリンタ制御方法。
【請求項１９】
前記音声入力手段は、音声入力部からの音声入力のＯＮ／ＯＦＦ設定が可能なことを特徴とする請求項１又は２に記載のプリンタ制御装置。
【請求項２０】
前記音声入力手段は、音声入力部からの音声入力のＯＮ／ＯＦＦ設定が可能なことを特徴とする請求項３又は４に記載のプリンタ制御方法。
【請求項２１】
前記音声出力手段は、音声出力部からの音声出力のＯＮ／ＯＦＦ設定が可能なことを特徴とする請求項１又は２に記載のプリンタ制御装置。
【請求項２２】
前記音声出力手段は、音声出力部からの音声出力のＯＮ／ＯＦＦ設定が可能なことを特徴とする請求項３又は４に記載のプリンタ制御方法。
【発明の詳細な説明】
【技術分野】
【０００１】
本発明は、プリンタを適正に駆動するための制御情報などを発するプリンタ制御装置およびプリンタ制御方法に関するものである。
【背景技術】
【０００２】
以下、図面を参照して本発明の実施形態を詳細に説明する。
【０００３】
図１は従来のプリンタ制御装置の一実施形態を概念的に示す図である。
【０００４】
図１において、１０１は表示手段としてのＣＲＴディスプレイで、種々のアプリケーションに対応して所定のウインドウが表示可能に構成されており、システム中のプリンタアイコンがクリックされた際には、プリンタ制御装置の設定画面がオープン表示される。１０２はホストコンピューターで、所定のＯＳ（オペレーション・システム）に基づいてシステムプログラムが各種アプリケーションプログラムの実行状態を管理している。１０３はハードディスク（ＨＤＤ）で、アプリケーションプログラムおよびプリンタ制御プログラムなどが記憶されている。１０４はメモリーカードドライブで、記録画像データの入ったメモリーカードにアクセス可能に構成されている。１０５は記録条件の設定等後述の制御、判別などの動作を行うシステムボード（制御手段）であり、ＣＰＵ、ＲＡＭ、ＲＯＭ等を備えている。１０６はキーボード、ポインティングデバイス等で構成される指示手段としての入力部で、ユーザ情報等を入力する。１０７はプリンタで、所定の記録プロセスを実行して用紙に画像を出力する。
【０００５】
従来のプリンタでは、プリンタドライバの設定画面で記録条件を設定している。図２は、従来のプリンタの設定画面において、記録条件を設定する画面の一例を示す図であり、ここに示す画面は、ホストコンピューターのウインドウシステムにおける一画面に対応する。
【０００６】
図３は、記録のアイコンで、用紙に記録したい場合に、カーソルで記録のアイコンをクリックすると図２の記録条件の設定画面を表示部のディスプレイに表示する。
【０００７】
図２において、２０１は用紙のサイズの設定エリアで、このエリアで記録に使用する用紙のサイズの設定および変更を行う。用紙のサイズは、Ａ４、ハガキ、Ｌ版写真サイズ等である。２０２は用紙の種類の設定エリアで、ここで記録に使用する用紙の種類の設定および変更を行う。用紙の種類は、普通紙、特殊紙、ハガキ、ＯＨＰフィルム等である。２０３は記録品位の設定エリアで、ここで記録品位の設定および変更を行う。記録品位は、１・２・３・４・５の５段階で示し、記録画質の品位（きれいさ）を表している。２０４は記録部数の設定エリアで、ここでは記録部数の設定、および変更を行う。２０５は階調処理の設定エリアで、ここでは中間調画像の階調処理方法の変更および設定、例えば、誤差拡散処理やディザ処理等の選択、設定を行う。２０６は給紙方法の設定エリアで、ここでは給紙方法の設定、および変更を行う。給紙方法は、オートシートフィーダやカセット式のものがある。２０７は記録の用紙の向き（縦または横）を設定するエリアで、ここでは記録の用紙の向きを設定、および変更を行う。２０８はカラー／モノクロの選択の設定エリアで、ここではカラーまたはモノクロのいずれかで印刷するか設定、および変更を行う。２０９は色の調節の設定エリアで、ここでは色の調節の設定、および変更を行う。
【０００８】
色の調節は、色の濃度、明るさ等である。２１０はユーティリティー、ここではクリーニング、ヘッド位置調整、テストプリントを行う。２１１は記録条件の設定を決定するＯＫボタン、２１２は記録条件の設定をキャンセルするキャンセルボタン、２１３はヘルプボタンを示している。２１４は記録開始ボタンで、これをカーソルでクリックすると記録を開始する。
【０００９】
図４は、図２の記録条件の設定画面においてカーソルでエリアを指示することにより変更および設定を行うことが可能な設定項目を示すプルダウンメニューである。
【００１０】
図２の設定画面を見ながら、まず２０１の用紙のサイズの設定エリアをカーソルでクリックすると、図４のプルダウンメニューを表示する。プルダウンメニューの中には選択可能な用紙のサイズを、Ａ４、ハガキ、Ｌ版写真サイズと表示する。使用する用紙サイズをハガキにする場合、「ハガキ」を選択し、クリックすると記録条件として設定する。
【００１１】
同様に操作者は図２の２０２〜２０９の記録条件の各設定エリアを選択し、各設定エリアの中の詳細な設定項目を設定する。このようにして、目的に合わせて各設定エリアを組み合わせて記録条件を決定する。
【００１２】
図５は、従来の記録条件設定動作を示すフローチャートである。まず、ｓ５０１において、図３の表示画面の記録アイコンをカーソルでクリックする。ｓ５０２において、図２の記録条件の設定画面を表示部であるＣＲＴディスプレイに表示する。ｓ５０３において、図２の設定画面を見ながら、まず２０１の用紙サイズの設定エリアをカーソルでクリックする。ｓ５０４において、図４のプルダウンメニューを表示する。プルダウンメニューの中には選択可能な用紙サイズを、Ａ４、ハガキ、Ｌ版写真サイズと表示する。ｓ５０５において、使用する用紙サイズ、ハガキをクリックする。ｓ５０６において、記録条件の設定を続行するかどうかの判断を行う。続行ならば、ｓ５０２にもどり戻り同様に図２の２０２から２０９までの各種設定エリアの設定を行う。記録条件の設定を終了するならば、ｓ５０７において、図２の２１１のＯＫボタンをクリックし、記録条件を決定する。ｓ５０８において、図２の２１４の記録開始ボタンをクリックし、設定された記録条件で記録を開始する。
【００１３】
このように、多くの記録条件の設定項目に対して、視覚に頼った選択を行ってきた。従来より、ユーザインターフェースの操作性を向上させるための改良が行なわれており、選択肢の細部項目を展開するポップアップ画面の無駄な表示を禁止する構成（例えば、特許文献１）や、入力機器等で操作可能なポインタ指示に応じて各設定項目を拡大縮小表示する構成（例えば、特許文献２）が知られている。
【特許文献１】特開平１０−０７４１２４号公報
【特許文献２】特開２００４−０３０１６６号公報
【発明の開示】
【発明が解決しようとする課題】
【００１４】
これらの従来の技術ではプリンタの記録条件の設定が増えるに従い操作が複雑になり、記録条件の設定エリアに誤設定があったとしても、これを見落としたまま印刷を行ってしまうため、プリントミスが発生している。
【００１５】
また、エラーが発生した場合でも、プリンタがどの様な状態でありどの様な対応を行うべきかを考え、またマニュアル等を参照してプリンタの状態とその対応方法を判断し、対策を行う必要があるため、時間のロスが発生する。
【００１６】
さらに操作者がプリンタの使用頻度が低い、使用経験が浅い、パーソナルコンピューターの扱いに不慣れな場合にはプリントミスや、時間のロスが増える。
【００１７】
そこで本発明はこの様な課題を解決するもので、その目的とするところは、誰でも容易にかつ直ぐにプリンタの記録条件設定を行え、誤設定によるエラーの発生頻度を低減させ、更にエラーの対応等の操作が容易にできる操作性に優れたプリンタ制御装置およびプリンタ制御方法を提供するところにある。
【課題を解決するための手段】
【００１８】
上記の目的を達成するため、本発明は、
プリンタの記録条件の設定、プリンタの基本動作の設定、プリンタの補助動作の設定の少なくともいずれか一つを音声により入力する音声入力手段と、
プリンタの設定された記録条件、記録条件を設定する為のガイダンス、プリンタの動作状況のガイダンスの少なくともいずれか一つを音声により出力する音声出力手段と、
を備えたプリンタ制御装置の提供である。
【００１９】
さらに、プリンタの記録条件の設定、プリンタの基本動作の設定、プリンタの補助動作の設定の少なくともいずれか一つを音声により入力する音声入力手段と、
プリンタの設定された記録条件、記録条件を設定する為のガイダンス、プリンタの動作状況のガイダンスの少なくともいずれか一つを音声により出力する音声出力手段と、
プリンタの設定された記録条件、記録条件を設定する為のガイダンス、プリンタの動作状況のガイダンスの少なくともいずれか一つを表示する画面表示手段と、
を備えたプリンタ制御装置の提供である。
【００２０】
さらに、プリンタの記録条件の設定、プリンタの基本動作の設定、プリンタの補助動作の設定の少なくとも一つを音声により入力する音声入力工程と、
プリンタの設定された記録条件、記録条件を設定する為のガイダンス、プリンタの動作状況のガイダンスの少なくともいずれか一つを音声により出力する音声出力工程と、
を備えたプリンタ制御方法の提供である。
【００２１】
さらに、プリンタの記録条件の設定、プリンタの基本動作の設定、プリンタの補助動作の設定の少なくとも一つを音声により入力する音声入力工程と、
プリンタの設定された記録条件、記録条件を設定する為のガイダンス、プリンタの動作状況のガイダンスの少なくともいずれか一つを音声により出力する音声出力工程と、
プリンタの設定された記録条件、記録条件を設定する為のガイダンス、プリンタの動作状況のガイダンスの少なくともいずれか一つを表示する画面表示工程と、
を備えたプリンタ制御方法の提供である。
【００２２】
また、好ましくは前記プリンタの記録条件は、用紙のサイズ、用紙の種類、記録品位、部数、給紙方法、印字の向き、カラーまたはモノクロ印字の選択、色調節、階調処理、ユーティリティーである。
【００２３】
また好ましくは、前記プリンタの基本動作は、電源ＯＮ状態、プリント動作である。
【００２４】
また、前記プリンタの補助動作は、クリーニング、ヘッド位置調整、テストプリント、カートリッジ・インクタンクの交換である。
【００２５】
また、前記プリンタと前記音声入力手段、前記音声出力手段の処理部を有するホストコンピューターが所定のインターフェースを介して通信可能なプリンタ制御装置である。
【００２６】
また更に好ましくは、前記プリンタと前記音声入力手段、前記音声出力手段、前記画面表示手段の処理部を有するホストコンピューターが所定のインターフェースを介して通信可能なプリンタ制御装置である。
【００２７】
また、前記プリンタと音声入力手段、音声出力手段の処理部を有するホストコンピューターが所定のネットワークを介して通信可能なプリンタ制御装置である。
【００２８】
また、前記プリンタと音声入力手段、音声出力手段、画面表示手段の処理部を有するホストコンピューターが所定のネットワークを介して通信可能なプリンタ制御装置である。
【００２９】
また好ましくは、前記記録条件を設定する為のガイダンスを行った後、プリンタの記録条件の設定がないまま一定時間経過すると規定の標準設定を行うのが良い。
【００３０】
また好ましくは、前記プリンタの動作状況のガイダンスを行った後、プリンタの基本動作の設定およびプリンタの補助動作の設定がないまま一定時間経過すると実行中の動作を継続するのが良い。
【発明の効果】
【００３１】
本発明は、音声によってプリンタの記録条件・プリンタの基本動作・補助動作の設定ができ、更に音声により記録条件やプリンタの動作状況の告知、ガイダンスの実行を行うようにしたため、操作者が初心者でも容易にかつ直ぐにプリンタの記録条件・基本動作・補助動作の設定を行え、誤設定によるエラーの発生頻度を低減させ、更にエラーの対応等の操作が容易にできる操作性に優れたプリンタを提供することができる。
【発明を実施するための最良の形態】
【００３２】
以下、図面を参照して本発明を実施するための最良の形態を実施例により詳細に説明する。
【実施例】
【００３３】
図６は本発明に係るプリンタ制御装置の一実施形態を概念的に示す図である。図６において、６０１はプリンタ制御装置で、所定の記録プロセスを実行して用紙に画像を出力する。６０２は音声出力部としてのスピーカー等で構成される出力部であり、ここから音声を出力する。６０３は音声入力部としてのマイク等で構成される入力部であり、ここから音声を入力する。６０４は表示部としてのディスプレイで、記録条件の設定等の画面をここに表示する。６０５は操作部としての入力部で、記録条件の設定やクリーニング等が操作部からも入力できる。６０６はメモリーカードドライブで、記録画像データの入ったメモリーカードにアクセス可能に構成されている。６０７は記録条件の設定等後述の制御、判別などの動作を行うシステムボード（制御手段）であり、ＣＰＵ、ＲＡＭ、ＲＯＭ等を備えている。
【００３４】
図７は本発明に係るプリンタ制御装置の一実施形態を概念的に示す図である。図７において、７０１は表示手段としてのＣＲＴディスプレイで、種々のアプリケーションに対応して所定のウインドウが表示可能に構成されており、システム中のプリンタアイコンがクリックされた際には、プリンタ制御装置の記録条件の設定画面がオープン表示される。７０２はホストコンピューターで、所定のＯＳ（オペレーション・システム）に基づいてシステムプログラムが各種アプリケーションプログラムの実行状態を管理している。７０３はハードディスク（ＨＤＤ）で、アプリケーションプログラムおよびプリンタ制御プログラムなどが記憶されている。７０４はメモリーカードドライブで、記録画像データの入ったメモリーカードにアクセス可能に構成されている。７０５は記録条件の設定等後述の制御、判別などの動作を行うシステムボード（制御手段）であり、ＣＰＵ、ＲＡＭ、ＲＯＭ等を備えている。７０６はキーボード、ポインティングデバイス等で構成される指示手段としての入力部で、ユーザ情報等を入力する。７０７はプリンタで、所定の記録プロセスを実行して用紙に画像を出力する。７０８は音声出力部としてのスピーカー等で構成される出力部であり、ここから音声を出力する。７０９、は音声入力部としてのマイク等で構成される入力部であり、ここから音声を入力する。なお、全ての機器は、ホストコンピューター７０２に対してスタンドアロン状態で接続されていても良いし、所定のネットワークに接続されている構成であってもよい。
【００３５】
図８は、本発明の一実施形態に係るプリンタ制御装置の制御構成を示すブロック図である。図８において、８０４は、メインバスライン８００に対して夫々アクセスする画像入力部で、図６の６０６、図７の７０４に対応する。８０５は、前記画像入力部から入力された画像信号を処理する画像信号処理部であり、８０６は、入力された画像を表示したり、図２の記録条件の設定画面を表示する表示部で、図６の６０４、図７の７０１に対応する。８０７は、前記表示部に出力するための表示データを処理する表示処理部であり、８０８は、マイク等で構成される音声入力部で、図６の６０３、図７の７０９である。８０９は、前記音声入力部から入力された音声信号を処理する音声入力処理部であり、８１０は、スピーカー等で構成される音声出力部で、図６の６０２、図７の７０８に対応する。８１１は、前記音声出力部に出力するための音声出力信号を処理する音声出力処理部であり、８１２は、プリンタの設定された記録条件、記録条件を設定する為のガイダンス、およびプリンタの動作状況のガイダンス等を記憶する情報記憶部であり、８１３は、記録条件の設定やクリーニング等が操作部からも入力できる操作部であり、８１４は、記録ヘッドのクリーニング等を行う回復系制御回路であり、８１５は、記録ヘッドの駆動を行うヘッド駆動制御回路であり、８１６は、記録ヘッドを搭載したキャリッジを主走査方向へ駆動するキャリッジ駆動制御回路であり、８１７は、用紙を副走査方向へ駆動する用紙送り制御回路であり、８０１は、中央制御部ＣＰＵ８０１で、通常ＲＯＭ８０２とＲＡＭ８０３を有し、入力手段に対して適切な記録条件を与えて記録する。
【００３６】
プリンタ制御装置において、図６の６０１プリンタ制御装置本体は８０５・８０７・８０９・８１１・８１２・８１４〜８１７を備え、６０２スピーカーは８１０を備え、６０３マイクは８０８を備え、６０４表示部は８０６を備え、６０５操作部は８１３を備え、６０６メモリーカードドライブは８０４を備え、６０７ＣＰＵは８０１を備えている。
【００３７】
また、図７の７０２ホストコンピューターは、８０５・８０７・８０９・８１１・８１２を備え、７０７のプリンタは、８０１、８１４〜８１７備えている。
【００３８】
(第１の実施形態)
本発明の第１の実施形態はプリンタ制御装置において、プリンタの基本動作である電源ＯＮ状態実行時に、音声によりプリンタの記録条件の設定を行い、プリンタの基本動作であるプリントを実行する場合について記載する。
【００３９】
図９は、この第１の実施形態におけるプリンタ制御装置およびプリンタシステムのプリンタの基本動作である電源ＯＮ状態実行時に、音声によりプリンタの記録条件の設定を行い、プリンタの基本動作であるプリントを実行する場合のフローチャートである。ｓ９０１において、プリンタの基本動作である電源ＯＮ状態実行時に、操作者が音声入力部のマイク（６０３，７０９）に向かって「プリント」と音声入力する。ｓ９０２において、音声入力部のマイクから音声の入力があったと音声入力処理部で認識する。ｓ９０３において、情報記憶部で記憶された図２の記録条件設定画面を表示処理部で処理し、表示部のディスプレイ（６０４，７０１）に表示する。ｓ９０４において、音声入力部のマイクに向かって操作者が「用紙のサイズ」と音声入力する。ｓ９０５において、音声入力部のマイクから音声の入力があったと音声入力処理部で認識する。ｓ９０６において、情報記憶部にて記憶された記録条件を設定する為のガイダンスを音声出力処理部にて処理し、音声出力部のスピーカー（６０２，７０８）から「用紙のサイズは何を使用しますか？」と出力し、図４のプルダウンメニューを表示処理部で処理し、表示部のディスプレイに表示する。プルダウンメニューの中には選択可能な用紙のサイズを、Ａ４、ハガキ、Ｌ版写真サイズと表示する。ｓ９０７において、音声入力部のマイクに向かって操作者が「ハガキ」と音声入力する。ｓ９０８において、音声入力部のマイクから音声の入力があったと音声入力処理部で認識する。ｓ９０９において、記録条件の設定を続行するかどうかの判断を行う。続行ならば、ｓ９０３に戻り同様に図２の２０２から２０９までの各種設定エリアの設定を行う。また、記録条件の設定を終了するならば、ｓ９１０において、音声入力部のマイクに向かって「条件設定終了」と音声入力する。ｓ９１１において、音声入力部のマイクから音声の入力があったと、音声入力処理部で認識し、記録条件の設定を終了する。ｓ９１２において、情報記憶部に記憶されたプリンタの設定された記録条件を音声出力処理部で処理し、音声出力部のスピーカーから「用紙サイズはハガキです。用紙の種類は・・・。」と出力し、図１０の「用紙サイズ：ハガキ  用紙の種類：・・・  」と、記録条件確認画面を表示処理部で処理し、表示部のディスプレイに表示する。ｓ９１３において、操作者が音声入力部のマイクに向かって「記録開始」と音声により入力する。ｓ９１４において、音声入力部のマイクから「記録開始」と音声の入力があったと音声入力処理部で認識するｓ９１５において、プリンタの基本動作であるプリントを実行する。
【００４０】
以上のように、この第１の実施形態では、音声入力によりプリンタの記録条件の設定やプリンタの基本動作の設定を行え、従来の表示部による視覚だけの確認だけではなく、音声出力により記録条件を設定する為のガイダンスやプリンタの設定された記録条件を確認できる。
【００４１】
視覚と聴覚の双方により記録過程をガイダンスできるので、操作者が初心者でも容易にかつ直ぐにプリンタの記録条件設定を行え、誤設定によるエラーの発生頻度を低減させ、更にエラーの対応等の操作が容易にできる操作性に優れたプリンタを提供することができる。
【００４２】
(第２の実施形態)
本発明の第２の実施形態は、プリンタの制御装置においてプリンタの基本動作である電源ＯＮ状態が停止時に、音声によりプリンタの基本動作である電源ＯＮ状態を実行する場合について記載する。
【００４３】
図１１はこの第２の実施形態におけるプリンタ制御装置のプリンタの基本動作である電源ＯＮ状態が停止時に、音声によりプリンタの基本設動作である電源ＯＮ状態を実行する場合のフローチャートである。ｓ１１０１において、操作者が音声入力部のマイク（６０３，７０９）に向かって「電源ＯＮ」と音声入力する。ｓ１１０２において、音声入力部のマイクから音声入力があったと音声入力処理部で認識する。ｓ１１０３において、電源ＯＮ状態を実行する。ｓ１１０４において、情報記憶部で記憶されたプリンタの動作状況のガイダンスを音声出力処理部で処理し、音声出力部のスピーカー（６０２，７０８）から「電源をいれました。」と音声出力する、と同時にプリンタの動作状況のガイダンスを表示処理部で処理し、表示部のディスプレイ（６０４，７０１）に「電源をいれました。」と表示する。
【００４４】
以上のように、この第２の実施形態では、音声入力によりプリンタの基本動作の設定を行え、従来の表示部による視覚だけの確認だけではなく、音声出力によりプリンタの動作状況を確認できる。
【００４５】
視覚と聴覚の双方によりプリンタの動作状況をガイダンスできるので、操作者が初心者でも容易にかつ直ぐプリンタの基本動作の設定を行え、誤設定によるエラーの発生頻度を低減させ、更にエラーの対応等の操作が容易にできる操作性に優れたプリンタを提供することができる。
【００４６】
(第３の実施形態)
本発明の第３の実施形態は、プリンタの制御装置においてプリンタの基本動作である電源ＯＮ状態実行中に、音声入力によりプリンタの補助動作であるクリーニングを実行する場合について記載する。
【００４７】
図１２はこの第３の実施形態におけるプリンタ制御装置のプリンタの基本動作である電源ＯＮ状態実行時に、音声入力によりプリンタの補助動作であるクリーニングを実行する場合のフローチャートである。ｓ１２０１において、操作者が音声入力部のマイク（６０３，７０９）に向かって、「クリーニング」と音声入力する。
【００４８】
ｓ１２０２において、音声入力部のマイクから音声入力があったと音声入力処理部で認識する。ｓ１２０３において、情報記憶部で記憶されたプリンタの動作状況のガイダンスを音声出力処理部で処理し、音声出力部のスピーカー（６０２，７０８）から「クリーニングを実行します。」と音声出力し、プリンタの動作状況のガイダンスを表示処理部で処理し、表示部のディスプレイ（６０４，７０１）に「クリーニングを実行します。」と表示する。ｓ１２０４において、プリンタの補助動作であるクリーニングを実行する。
【００４９】
以上のように、この第３の実施形態では、音声入力によりプリンタの補助動作の設定を行え、従来の表示部による視覚だけの確認だけではなく、音声出力によりプリンタの補助動作の動作状況を確認できる。
【００５０】
視覚と聴覚の双方によりプリンタの動作状況をガイダンスできるので、操作者が初心者でも容易にかつ直ぐにプリンタの補助動作の設定を行え、誤設定によるエラーの発生頻度を低減させ、更にエラーの対応等の操作が容易にできる操作性に優れたプリンタを提供することができる。
【００５１】
本実施形態は、プリンタの補助動作であるクリーニングについて記載したが、プリンタの補助動作であるヘッド位置調整、テストプリント、カートリッジ・インクタンクの交換でも同様の効果が得られる。
【００５２】
(第４の実施形態)
本発明の第４の実施形態は、更に別のプリンタの制御装置においてプリンタの基本動作である電源ＯＮ状態実行中に、音声入力によりプリンタの補助動作であるクリーニングを実行する場合について記載する。
【００５３】
本実施形態は、第３の実施形態に対してプリンタの補助動作の設定を再度確認するプリンタの動作状況のガイダンスを行っており、プリンタの補助動作の設定を再度確認することにより、間違えてプリンタの補助動作であるクリーニングを行うことがなくなるなど、より操作性に優れたプリンタを提供することができる。
【００５４】
図１３はこの第４の実施形態におけるプリンタ制御装置のプリンタの基本動作である電源ＯＮ状態実行中に、音声によりプリンタの補助動作であるクリーニングを実行する場合のフローチャートである。ｓ１３０１において、操作者が音声入力部のマイク（６０３，７０９）に向かって「クリーニング」と音声入力する。ｓ１３０２において、音声入力部のマイクから音声入力があったと音声入力処理部で認識する。ｓ１３０３において、情報記憶部で記憶されたプリンタの動作状況のガイダンスを音声出力処理部で処理し、音声出力部のスピーカー（６０２，７０８）から「クリーニングを実行しますか？」と音声出力し、プリンタの動作状況のガイダンスを表示処理部で処理し、表示部のディスプレイ（６０４，７０１）に「クリーニングを実行しますか？」と表示する。ｓ１３０４においてクリーニングを実行するかどうかの判断を行う。プリンタの補助動作であるクリーニングを実行しないならば、ｓ１３０５において、操作者が音声入力部のマイクに向かって「いいえ」と音声入力する。ｓ１３０６において、音声入力部のマイクから音声入力があったと音声入力処理部で認識し、終了する。プリンタの補助動作であるクリーニングを実行するならば、ｓ１３０７において、操作者が音声入力部のマイクに向かって「はい」と音声入力する。ｓ１３０８において、プリンタの補助動作であるクリーニングを実行する。
【００５５】
以上のように、この第４の実施形態では、音声入力によりプリンタの補助動作の設定を行え、従来の表示部による視覚だけの確認だけではなく、音声出力によりプリンタの補助動作の動作状況を確認できる。
【００５６】
本実施形態は、プリンタの補助動作であるクリーニングについて記載したが、プリンタの補助動作であるヘッド位置調整、テストプリント、カートリッジ・インクタンクの交換でも同様の効果が得られる。
【００５７】
本実施形態は、第３の実施形態に対してプリンタの補助動作の設定を再度確認するプリンタの動作状況のガイダンスを行っているので、プリンタの補助動作の設定を再度確認することにより、間違えてプリンタの補助動作であるクリーニングを行うことがなくなる。
【００５８】
視覚と聴覚の双方によりプリンタの動作状況をガイダンスできるので、操作者が初心者でも容易にかつ直ぐにプリンタの補助動作の設定を行え、更に誤設定によるエラーの発生頻度を低減させ、エラーの対応等の操作ができる操作性に優れたプリンタを提供することができる。
【００５９】
(第５の実施形態)
本発明の第５の実施形態は、プリンタの制御装置においてプリンタの基本動作である電源ＯＮ状態実行中で、かつプリンタの補助動作であるクリーニング実行中に、音声によりプリンタの基本動作である電源ＯＮ状態の停止を行う場合について記載する。
【００６０】
図１４はこの第５の実施形態におけるプリンタ制御装置のプリンタの基本動作である電源ＯＮ状態実行中で、かつプリンタの補助動作であるクリーニング実行中に、音声によりプリンタの基本動作である電源ＯＮ状態の停止を行う場合のフローチャートである。ｓ１４０１において、操作者が音声入力部のマイク（６０３，７０９）に向かってプリンタの基本動作である電源ＯＮ状態実行中で、かつプリンタの補助動作であるクリーニング実行中に、「電源ＯＦＦ」と音声入力する。ｓ１４０２において、音声入力部のマイクから音声入力があったと音声入力処理部で認識する。ｓ１４０３において、プリンタの補助動作であるクリーニングを停止する。ｓ１４０４において、情報記憶部で記憶されたプリンタの動作状況のガイダンスを音声出力処理部で処理し、音声出力部のスピーカー（６０２，７０８）から「クリーニングを中止し、電源をＯＦＦします。」と音声出力し、プリンタの動作状況のガイダンスを表示処理部で処理し、表示部のディスプレイ（６０４，７０１）に「クリーニングを中止し、電源をＯＦＦします。」と表示する。ｓ１４０５において、プリンタの基本動作である電源ＯＮ状態を停止する。
【００６１】
以上のように、この第５の実施形態では、音声入力によりプリンタの基本動作の中止の設定を行うことで、プリンタの基本動作とプリンタの補助動作の両方が実行中でも両方の中止を行え、また従来の表示部による視覚だけの確認ではなく、音声出力によりプリンタの動作状況を確認できる。
【００６２】
本実施形態は、プリンタの基本動作である電源ＯＮ状態実行中で、かつプリンタの補助動作であるクリーニング実行中に電源ＯＮ状態を停止する事について記載したが、プリント実行中に電源ＯＮ状態の停止やクリーニング実行中にプリント動作の実行など他の動作の組み合わせでも同様の効果を得られる。
【００６３】
視覚と聴覚の双方によりプリンタの動作状況をガイダンスできるので、操作者が初心者でも容易にかつ直ぐにプリンタのプリンタ動作状況の設定を行え、誤設定によるエラーの発生頻度を低減させ、更にエラーの対応等の操作が容易にできる操作性に優れたプリンタを提供することができる。
【００６４】
(第６の実施形態)
本発明の第６の実施形態は、更に別のプリンタの制御装置においてプリンタの基本動作である電源ＯＮ状態実行中で、かつプリンタの補助動作であるクリーニング実行中に、音声によりプリンタの基本動作である電源ＯＮ状態を停止する場合について記載する。
【００６５】
本実施形態は、第５の実施形態に対してプリンタの基本動作の設定を再度確認するプリンタの動作状況のガイダンスを行っており、プリンタの基本動作の設定を再度確認することにより、間違えてプリンタの基本動作である電源ＯＮ状態の停止を行うことがなくなることで、より操作性に優れたプリンタを提供することができる。
【００６６】
図１５はこの第６の実施形態におけるプリンタ制御装置のプリンタの基本動作である電源ＯＮ状態実行中で、かつプリンタの補助動作であるクリーニング実行中に、音声によりプリンタの基本動作である電源ＯＮ状態を停止する場合のフローチャートである。ｓ１５０１において、操作者が音声入力部のマイク（６０３，７０９）に向かってプリンタの基本動作である電源ＯＮ状態実行中で、かつプリンタの補助動作であるクリーニング実行中に「電源ＯＦＦ」と音声入力する。ｓ１５０２において、音声入力部のマイクから音声入力があったと音声入力処理部で認識する。ｓ１５０３において、情報記憶部で記憶されたプリンタの動作状況のガイダンスを音声出力処理部で処理し、音声出力部のスピーカー（６０２，７０８）から「電源をＯＦＦしますか？電源をＯＦＦする場合はクリーニングを中止します。」と音声出力し、同時にプリンタの動作状況のガイダンスをと表示処理部で処理し、表示部のディスプレイ（６０４，７０１）に「電源をＯＦＦしますか？電源をＯＦＦする場合はクリーニングを中止します。」と表示する。ｓ１５０４においてプリンタの基本動作である電源ＯＮ状態を停止するかどうかの判断を行う。プリンタの基本動作である電源ＯＮ状態を続行するならば、ｓ１５０５において、操作者が音声入力部のマイクに向かって「いいえ」と音声入力する。ｓ１５０６において、音声入力部のマイクから音声入力があったと音声入力処理部で認識する。ｓ１５０７において、プリンタの補助動作であるクリーニングの実行を続行する。ｓ１５０８において、プリンタの補助動作であるクリーニングの全ての工程を終える。プリンタの基本動作である電源ＯＮ状態を停止するならば、ｓ１５０９において、操作者が音声入力部のマイクに向かって記録補助動作中に、「はい」と音声入力する。ｓ１５１０において、音声入力部のマイクから音声入力があったと音声入力処理部で認識する。ｓ１５１１において、プリンタの補助動作であるクリーニングを中止する。ｓ１５１２において、プリンタの基本動作である電源ＯＮ状態を停止する。
【００６７】
以上のように、この第６の実施形態では、音声入力によりプリンタの基本動作の中止の設定を行うことで、プリンタの基本動作とプリンタの補助動作の両方が実行中でも両方の中止を行え、また従来の表示部による視覚だけの確認ではなく、音声出力によりプリンタの動作状況を確認できる。
【００６８】
本実施形態は、プリンタの基本動作である電源ＯＮ状態実行中で、かつプリンタの補助動作であるクリーニング実行中に電源ＯＮ状態を停止する事について記載したが、プリント実行中に電源ＯＮ状態の停止やクリーニング実行中にプリント動作の実行など他の動作の組み合わせでも同様の効果を得られる。
【００６９】
本実施形態は、第５の実施形態に対して更にプリンタの基本動作の設定を再度確認するプリンタの動作状況のガイダンスを行っているので、プリンタの基本動作の設定を再度確認することにより、間違えてプリンタの基本動作である電源ＯＮ状態の停止を行うことがなくなる。
【００７０】
視覚と聴覚の双方によりプリンタの動作状況をガイダンスできるので、操作者が初心者でも容易にかつ直ぐにプリンタのプリンタ動作状況の設定を行え、誤設定によるエラーの発生頻度を低減させ、更にエラーの対応等の操作が容易にできる操作性に優れたプリンタを提供することができる。
【００７１】
(第７の実施形態)
本発明の第７の実施形態は、プリンタ制御装置において、プリンタの基本動作である電源ＯＮ状態実行中で、かつプリンタの基本動作であるプリント動作の実行中に、音声によりプリンタの基本動作であるプリント動作の中止を行う場合について記載する。
【００７２】
図１６は、この第７の実施形態におけるプリンタ制御装置のプリンタの基本動作である電源ＯＮ状態実行中で、プリンタの基本動作であるプリント動作実行中にプリンタの基本動作であるプリント動作の中止を行う場合のフローチャートである。ｓ１６０１において、操作者が音声入力部のマイク（６０３，７０９）に向かって「記録中止」と音声入力する。ｓ１６０２において、音声入力部のマイクから音声入力があったと音声入力処理部で認識する。ｓ１６０３において、情報記憶部で記憶されたプリンタの動作状況のガイダンスを音声出力処理部で処理し、音声出力部のスピーカー（６０２，７０８）から「記録を中止します。」と音声出力し、プリンタの動作状況のガイダンスを表示処理部で処理し、表示部のディスプレイ（６０４，７０１）に「記録を中止します。」と表示する。ｓ１６０４において、プリンタの基本動作であるプリント動作を中止する。ｓ１６０５において、プリンタの基本動作である電源ＯＮ状態を中止する。
【００７３】
以上のように、この第７の実施形態では、音声入力によりプリンタの基本動作の中止の設定を行うことで、複数のプリンタの基本動作が実行中でも中止を行え、また従来の表示部による視覚だけの確認ではなく、音声出力によりプリンタの動作状況を確認できる。
【００７４】
視覚と聴覚の双方によりプリンタの動作状況をガイダンスできるので、操作者が初心者でも容易にかつ直ぐにプリンタの基本動作の中止の設定を行え、誤設定によるエラーの発生頻度を低減させ、更にエラーの対応等の操作が容易にできる操作性に優れたプリンタを提供することができる。
【００７５】
(第８の実施形態)
本発明の第８の実施形態は、更に別のプリンタ制御装置において、プリンタの基本動作である電源ＯＮ状態実行中で、プリンタの基本動作であるプリント動作実行中にプリンタの基本動作であるプリント動作の中止を行う場合について記載する。
【００７６】
本実施形態は、第７の実施形態に対してプリンタの基本動作の設定を再度確認するプリンタの動作状況のガイダンスを行っており、プリンタの基本動作の設定を再度確認することにより、間違えてプリンタの基本動作であるプリント動作の中止を行うことがなくなるなど、より操作性に優れたプリンタを提供することができる。
【００７７】
図１７は、この第８の実施形態におけるプリンタ制御装置のプリンタの基本動作である電源ＯＮ状態実行中で、プリンタの基本動作であるプリント実行中にプリンタの基本動作であるプリント動作の中止を行う場合のフローチャートである。ｓ１７０１において、操作者が音声入力部のマイク（６０３，７０９）に向かってに、プリンタの基本動作である電源ＯＮ状態実行中で、プリンタの基本動作であるプリント動作実行中に、「記録中止」と音声入力する。ｓ１７０２において、音声入力部のマイクから音声入力があったと音声入力処理部で認識する。ｓ１７０３において、情報記憶部で記憶されたプリンタの動作状況のガイダンスを音声出力処理部で処理し、音声出力部のスピーカー（６０２，７０８）から「記録を中止しますか？」と音声出力し、同時にプリンタの動作状況のガイダンスを表示処理部で処理し、表示部のディスプレイ（６０４，７０１）に「記録を中止しますか？」と表示する。ｓ１７０４においてプリンタの基本動作であるプリント動作を中止するかどうかの判断を行う。プリンタの基本動作であるプリント動作を中止しないならば、ｓ１７０５において、操作者が音声入力部のマイクに向かってプリンタの基本動作である電源ＯＮ状態実行中で、プリンタの基本動作であるプリント動作実行中に、「いいえ」と音声入力する。ｓ１７０６において、音声入力部のマイクから音声入力があったと音声入力処理部で認識する。ｓ１７０７において、プリンタの基本動作であるプリントを続行する。プリンタの基本動作であるプリント動作を中止するならば、ｓ１７０８において、操作者が音声入力部のマイクに向かって「はい」と音声入力する。ｓ１７０９において、音声入力部のマイクから音声入力があったと音声入力処理部で認識する。ｓ１７１０において、プリンタの基本動作であるプリント動作を中止する。
【００７８】
以上のように、この第８の実施形態では、音声入力によりプリンタの基本動作の設定を行え、従来の表示部による視覚だけの確認ではなく、音声出力によりプリンタの動作状況を確認できる。
【００７９】
本実施形態は、第７の実施形態にたいして更にプリンタの基本動作の中止の設定を再度確認するプリンタの動作状況のガイダンスを行っているので、プリンタの基本動作の中止の設定を再度確認することにより、間違えてプリンタの基本動作であるプリント動作の中止を行うことがなくなる。
【００８０】
視覚と聴覚の双方によりプリント動作状況をガイダンスできるので、操作者が初心者でも容易にかつ直ぐにプリンタの基本動作の設定を行え、誤設定によるエラーの発生頻度を低減させ、更にエラーの対応等の操作が容易にできる操作性に優れたプリンタを提供することができる。
【００８１】
(第９の実施形態)
本発明の第９の実施形態は、プリンタ制御装置において、プリンタの基本動作である電源ＯＮ状態実行中に、プリンタの記録条件の設定を行わずに記録を開始する場合について記載する。
【００８２】
図１８はこの第９の実施形態におけるプリンタ制御装置において、プリンタの基本動作である電源ＯＮ状態実行中に、プリンタの記録条件の設定を行わずに記録を行う場合のフローチャートである。ｓ１８０１において、プリンタの基本動作である電源ＯＮ状態実行中に、操作者が音声入力部のマイク（６０３，７０９）に向かって「プリント」と音声入力する。ｓ１８０２において、音声入力部のマイクから音声の入力があったと音声入力処理部で認識すると、ｓ１８０３において、情報記憶部で記憶された図２の記録条件設定画面を表示処理部で処理し、表示部のディスプレイ（７０４，６０１）に表示する。ｓ１８０４において、図２の記録条件設定画面を表示部に表示してから音声入出力や操作部からの入力が無いまま１分が経過したかどうかの判断を行う。
【００８３】
１分が経過していないならば、ｓ１８０３に戻り情報記憶部で記憶された図２の記録条件設定画面を表示処理部で処理して表示部のディスプレイに表示する。１分が経過したならば、ｓ１８０５において入力の無いエリアに対して、プリンタの記録条件を予め決められた標準設定に設定する。ｓ１８０６において、情報記憶部で記憶されたプリンタの設定された記録条件を音声出力処理部で処理し、音声出力部のスピーカー（６０２，７０８）から「用紙サイズはＡ４です。用紙の種類は・・・。」と音声出力し、同時にプリンタの設定された記録条件を表示処理部で処理し、表示部のディスプレイ（６０４，７０１）に図１９の標準の記録条件設定画面「用紙サイズ：Ａ４  用紙の種類：・・・。」を表示する。ｓ１８０７において、操作者が音声入力部のマイクに向かって「記録開始」と音声により入力する。ｓ１８０８において、音声入力部のマイクから音声入力があったと音声入力処理部で認識する。ｓ１８０９において、プリンタの基本設定であるプリント動作を実行する。
【００８４】
以上のように、この第９の実施形態では、音声入力により全てのプリンタの記録条件の設定を行わなくても、一定時間入力が無ければ標準の設定を行え、また従来の表示部による視覚だけの確認ではなく、音声出力によりプリンタの記録条件の設定を確認できる。
【００８５】
このように図２の記録条件設定画面の各設定エリアを通常は標準設定のままで、変更したい設定エリアの変更を行えば、全ての設定エリアを設定しなくても容易にかつ直ぐに記録を開始できる。
【００８６】
視覚と聴覚の双方により記録過程をガイダンスできるので、操作者が初心者でも容易にかつ直ぐにプリンタの記録条件設定を行え、誤設定によるエラーの発生頻度を低減させ、更にエラーの対応等の操作が容易にできる操作性に優れたプリンタを提供することができる。
【００８７】
本実施形態において、標準設定を行う時間を１分としたが、この時間に限定する事なく１０秒や５分等１分以下又は１分以上に設定しても良い。
【００８８】
(第１０の実施形態)
本発明の第１０の実施形態は、プリンタ制御装置において、プリンタの基本動作である電源ＯＮ状態実行中に、記録用紙切れの為にプリンタの基本動作であるプリント動作の実行を受け付けない場合について記載する。
【００８９】
図２０は，この第１０の実施形態におけるプリンタ制御装置において、プリンタの基本動作である電源ＯＮ状態実行中に、記録用紙切れの為にプリンタの基本動作であるプリント動作の実行を受け付けない場合を示すフローチャートである。ｓ２００１において、操作者が音声入力部のマイク（６０３，７０９）に向かってプリンタの基本動作である電源ＯＮ状態実行中に、「記録開始」と音声で入力する。ｓ２００２において、音声入力部のマイクから音声入力があったと音声入力処理部で認識する。ｓ２００３において、情報記憶部で記憶されたプリンタの動作状況のガイダンスを音声出力処理部で処理し、音声出力部のスピーカー（６０２，７０８）から「記録用紙がありません。用紙を補充しましたか？」と音声出力する、と同時にプリンタの動作状況のガイダンスをと表示処理部で処理し、表示部のディスプレイ（６０４，７０１）に「記録用紙がありません。用紙を補充しましたか？」と表示する。ｓ２００４において記録用紙を補充したかどうかの判断を行う。記録用紙を補充していないならば、ｓ２００５において、操作者が音声入力部のマイクに向かって「いいえ」と音声入力する。ｓ２００６において、音声入力部のマイクから音声入力があったと音声入力処理部で認識する。ｓ２００７において、プリンタの基本動作であるプリント動作を中止する。記録用紙を補充したならば、ｓ２００８において、操作者が音声入力部のマイクに向かって「はい」と音声入力する。ｓ２００９において、音声入力部のマイクから音声入力があったと音声入力処理部で認識する。ｓ２０１０において、プリンタの基本動作であるプリント動作を開始する。
【００９０】
以上のように、この第１０の実施形態では、音声入力によりプリンタの基本動作の開始の設定を行え、従来の表示部による視覚だけの確認ではなく、音声出力によりプリンタの動作状況を確認できる。
【００９１】
視覚と聴覚の双方によりプリンタの動作状況をガイダンスできるので、操作者が初心者でも容易にかつ直ぐにプリンタの基本動作の設定を行え、誤設定によるエラーの発生頻度を低減させ、更にエラーの対応等の操作が容易にできる操作性に優れたプリンタを提供することができる。
【００９２】
本実施形態は、用紙切れについて説明したが、これに限定することなくインク切れ、用紙サイズ・種類が間違っている、本体の電源がはいっていない、ケーブルが接続されていない、ネットワークでつながっていて、他でそのプリンタ制御装置が使用中により記録が受け付けられない等の場合でも、同様の効果がある。
【００９３】
(第１１の実施形態)
本発明の第１１の実施形態は、プリンタの制御装置においてプリンタの基本動作である電源ＯＮ状態実行中に、かつプリンタの補助動作であるクリーニングを実行中にプリンタの基本動作である電源ＯＮ状態を停止する場合について記載する。
【００９４】
図２１は本実施形態におけるプリンタ制御装置のプリンタの基本動作である電源ＯＮ状態を実行し、かつプリンタの補助動作であるクリーニングを実行中にプリンタの基本動作である電源ＯＮ状態を停止する場合のフローチャートである。ｓ２１０１において、操作者が音声入力部のマイク（６０３，７０９）に向かって、プリンタの基本動作である電源ＯＮ状態実行中で、プリンタの補助動作であるクリーニング実行中に、「電源ＯＦＦ」と音声入力する。ｓ２１０２において、音声入力部のマイクから音声入力があったと音声入力処理部で認識する。ｓ２１０３において、情報記憶部で記憶されたプリンタの動作状況のガイダンスを音声出力処理部で処理し、音声出力部のスピーカー（６０２，７０８）から「電源をＯＦＦしますか？電源をＯＦＦする場合はクリーニングを中止します。」と音声出力する、と同時にプリンタの動作状況のガイダンスを表示処理部で処理し、表示部のディスプレイ（６０４，７０１）に「電源をＯＦＦしますか？電源をＯＦＦする場合はクリーニングを中止します。」と表示する。ｓ２１０４においてプリンタの基本動作である電源ＯＮ状態を停止するかどうかの判断を行う。プリンタの基本動作である電源ＯＮ状態を停止するならば、ｓ２１０９において、操作者が音声入力部のマイクに向かって記録補助動作中に、「はい」と音声入力する。ｓ２１１０において、音声入力部のマイクから音声入力があったと音声入力処理部で認識する。ｓ２１１１において、プリンタの補助動作であるクリーニングを中止する。ｓ２１１２において、プリンタの基本動作である電源ＯＮ状態を停止する。プリンタの基本動作である電源ＯＮ状態を継続するならば、ｓ２１０５において、操作者が音声入力部のマイクに向かって記録補助動作中に、「いいえ」音声入力する。ｓ２１０６において、音声入力部のマイクから音声入力があったと音声入力処理部で認識する。ｓ２１０７において、プリンタの補助動作であるクリーニングの実行を続行する。ｓ２１０８において、プリンタの補助動作であるクリーニングの全ての工程を終える。または、ｓ２１１３において、プリンタの動作状況のガイダンスを表示部に表示してから音声入出力や操作部からの入力が無いまま１０秒が経過したかどうかの判断を行う。１０秒が経過していないならば、ｓ２１０４に戻り、１０秒が経過したならば、ｓ２１０７においてプリンタの補助動作であるクリーニングの実行を続行する。ｓ２１０８において、プリンタの補助動作であるクリーニングの全ての工程を終える。
【００９５】
以上のように、この第１１の実施形態では、音声入力によりプリンタの基本動作の中止の設定を行うことで、プリンタの基本動作とプリンタの補助動作の両方が実行中でも両方の中止を行え、また従来の表示部による視覚だけの確認ではなく、音声出力によりプリンタの動作状況を確認できる。
【００９６】
本実施形態は、第６の実施形態に対してプリンタの基本動作の設定を行うためのプリントの動作状況のガイダンス実行時に、一定時間入力が無いとプリンタの基本動作を中止するので、更に間違えてプリンタの基本動作である電源ＯＮ状態を停止することを防止できる。視覚と聴覚の双方によりプリンタの動作状況をガイダンスできるので、操作者が初心者でも容易にかつ直ぐにプリンタの基本動作やプリンタの補助動作の設定を行え、誤設定によるエラーの発生頻度を低減させ、更にエラーの対応等の操作が容易にできる操作性に優れたプリンタを提供することができる。
【００９７】
本実施形態において、プリンタの基本動作の設定を行う時間を１０秒としたが、この時間に限定する事なく５秒や５０秒等１０秒以下又は１０秒以上に設定しても良い。ただし、プリンタの基本動作の設定を行う時間をプリンタの補助動作実行時間以内とする。
【００９８】
(第１２の実施形態)
本発明の第１２の実施形態は、プリンタの制御装置においてプリンタの基本動作である電源ＯＮ状態を実行中にプリンタの補助動作であるクリーニングを実行する場合について記載する。
【００９９】
本実施形態は、第４の実施形態に対してプリンタの補助動作の設定を行うためのプリントの動作状況のガイダンス実行時に、一定時間入力が無いとプリンタの補助動作を中止するので、更に間違えてプリンタの補助動作であるクリーニングを実行することを防止できる。図２２はこの第１２の実施形態におけるプリンタ制御装置のプリンタの基本動作である電源ＯＮ状態実行中に、プリンタの補助動作であるクリーニングを実行する場合のフローチャートである。ｓ２２０１において、操作者が音声入力部のマイク（６０３，７０９）に向かって、プリンタの基本動作である電源ＯＮ状態実行中に、「クリーニング」と音声入力する。ｓ２２０２において、音声入力部のマイクから音声入力があったと音声入力処理部で認識する。ｓ２２０３において、情報記憶部で記憶されたプリンタの動作状況のガイダンスを音声出力処理部で処理し、音声出力部のスピーカー（６０２，７０８）から「クリーニングを実行しますか？」と音声出力する、と同時にプリンタの動作状況のガイダンスを表示処理部で処理し、表示部のディスプレイ（６０４，７０１）に「クリーニングを実行しますか？」と表示する。ｓ２２０４においてクリーニングを実行するかどうかの判断を行う。プリンタの補助動作であるクリーニングを実行するならば、ｓ２２０７において、操作者が音声入力部のマイクに向かって基本動作である電源ＯＮ状態実行中に、「はい」と音声入力する。ｓ２２０８において、プリンタの補助動作であるクリーニングを実行する。プリンタの補助動作であるクリーニングを実行しないならば、ｓ２２０５において、操作者が音声入力部のマイクに向かって基本動作である電源ＯＮ状態実行中に、「いいえ」と音声入力する。ｓ２２０６において、音声入力部のマイクから音声入力があったと音声入力処理部で認識し、終了する。または、ｓ２２１０において、プリンタの動作状況のガイダンスを表示部に表示してから音声入出力や操作部からの入力が無いまま一定時間が経過したかどうかの判断を行う。一定時間が経過していないならば、ｓ２２０４に戻る。一定時間が経過したならば、クリーニングを実行しないでそのまま終了する。
【０１００】
以上のように、この第４の実施形態では、音声入力によりプリンタの補助動作の設定を行え、従来の表示部による視覚だけの確認ではなく、音声出力によりプリンタの動作状況を確認できる。
【０１０１】
本実施形態は、プリンタの補助動作であるクリーニングについて記載したが、プリンタの補助動作であるヘッド位置調整、テストプリント、カートリッジ・インクタンクの交換でも同様の効果が得られる。
【０１０２】
本実施形態は、第４の実施形態に対してプリンタの補助動作の設定を行うためのプリントの動作状況のガイダンス実行時に、一定時間入力が無いとプリンタの補助動作を中止するので、更に間違えてプリンタの補助動作であるクリーニングを実行することを防止できる。
【０１０３】
視覚と聴覚の双方によりプリンタの動作状況をガイダンスできるので、操作者が初心者でも容易にかつ直ぐにプリンタの補助動作の設定を行え、誤設定によるエラーの発生頻度を低減させ、更にエラーの対応等の操作が容易にできる操作性に優れたプリンタを提供することができる。
【０１０４】
（その他の実施形態）
上記第１から第１２までの実施形態での音声入力手段は、音声入力部からの音声入力がＯＮの場合について記載したがこれに限定するものではなく、音声入力部からの音声入力のＯＮ／ＯＦＦ設定を可能とし、ＯＮを設定することで同様の効果を得ることが出来る。
【０１０５】
また同様に、上記第１から第１２までの実施形態での音声出力手段は、音声出力部からの音声出力がＯＮの場合について記載したがこれに限定するものではなく、音声出力部からの音声出力のＯＮ／ＯＦＦ設定を可能とし、ＯＮを設定することで同様の効果を得ることが出来る。
【図面の簡単な説明】
【０１０６】
【図１】従来のプリンタ制御装置の一実施形態を概念的に示す説明図である。
【図２】本発明の第１の実施形態においてＣＲＴディスプレイに表示される記録条件設定用の設定画面を示す図である。
【図３】本発明の記録条件設定画面の印刷アイコンの一実施形態を示す概念図。
【図４】本発明の記録条件設定画面のプルダウンメニューの一実施形態を示す概念図。
【図５】従来の記録条件の設定動作を示すフローチャートである。
【図６】本発明のプリンタ制御装置の一実施形態を概念的に示す説明図である。
【図７】本発明のプリンタ制御装置の一実施形態を概念的に示す説明図である。
【図８】本発明に適用可能なプリンタ制御装置の制御構成を示すブロック図である。
【図９】本発明の第１の実施形態における記録条件の設定動作を示すフローチャートである。
【図１０】本発明の第１の実施形態においてディスプレイに表示される記録条件設定用の設定画面を示す図である。
【図１１】本発明の第２の実施形態における電源をいれる動作を示すフローチャートである。
【図１２】本発明の第３の実施形態におけるクリーニングの実行動作を示すフローチャートである。
【図１３】本発明の第４の実施形態におけるクリーニングの実行動作を示すフローチャートである。
【図１４】本発明の第５の実施形態におけるクリーニング実行中に電源を切る動作を示すフローチャートである。
【図１５】本発明の第６の実施形態におけるクリーニング実行中に電源を切る動作を示すフローチャートである。
【図１６】本発明の第７の実施形態におけるプリント動作の中止動作を示すフローチャートである。
【図１７】本発明の第８の実施形態におけるプリント動作の中止動作を示すフローチャートである。
【図１８】本発明の第９の実施形態における記録条件の設定動作を示すフローチャートである。
【図１９】本発明の第９の実施形態においてディスプレイに表示される記録条件設定用の設定画面を示す図である。
【図２０】本発明の第１０の実施形態における記録用紙切れによる記録中止動作を示すフローチャートである。
【図２１】本発明の第１１の実施形態におけるクリーニング中に電源を切る動作を示すフローチャートである。
【図２２】本発明の第１２の実施形態におけるクリーニングの実行動作を示すフローチャートである。
【符号の説明】
【０１０７】
１０２，７０２  ホストコンピューター
１０３，７０３  ハードディスク（ＨＤＤ）
１０５，６０７，７０５  システムボード
１０７，７０７  プリンタ
６０１  プリンタ制御装置
８００  メインバスライン
８０１  ＣＰＵ
８０２  ＲＯＭ
８０３  ＲＡＭ
１０４，６０６，７０４，８０４  画像入力部
８０５  画像信号処理部
１０１，６０４，７０１，８０６  表示部
８０７  表示処理部
６０３，７０９，８０８  音声入力部
８０９  音声入力処理部
６０２，７０８，８１０  音声出力部
８１１  音声出力処理部
８１２  情報記憶部
１０６，６０５，７０６，８１３  操作部
８１４  回復系制御回路
８１５  ヘッド駆動制御回路
８１６  キャリッジ駆動制御回路
８１７  紙送り制御回路
【図１】
2006095984.tif 000003
【図２】
2006095984.tif 000004
【図５】
2006095984.tif 000005
【図７】
2006095984.tif 000006
【図８】
2006095984.tif 000007
【図９】
2006095984.tif 000008
【図１０】
2006095984.tif 000009
【図１１】
2006095984.tif 000010
【図１２】
2006095984.tif 000011
【図１３】
2006095984.tif 000012
【図１４】
2006095984.tif 000013
【図１５】
2006095984.tif 000014
【図１６】
2006095984.tif 000015
【図１７】
2006095984.tif 000016
【図１８】
2006095984.tif 000017
【図１９】
2006095984.tif 000018
【図２０】
2006095984.tif 000019
【図２１】
2006095984.tif 000020
【図２２】
2006095984.tif 000021
【図３】
2006095984.tif 000022
【図４】
2006095984.tif 000023
【図６】
2006095984.tif 000024